(57)【要約】      （修正有）【課題】音声を鮮明に拾うことができてハウリング現象を防止できる携帯電子機器の防水ケースを提供する。【解決手段】少なくとも携帯電話機能を備えた携帯電子機器２２を収納する防水ケース２１であって、該防水ケース２１は、携帯電子機器２２の背面２２ａと両側面２２ｂと上面２２ｃと下面２２ｄとをカバーするシリコーン樹脂製の背面側ケース部材２３と、該背面側ケース部材２３に被せて携帯電子機器２２の正面をカバーする合成樹脂製の正面側ケース部材２４とから構成される。また、背面側ケース部材２３の下部３３は、携帯電子機器２２の下面２２ｄに有するマイク部及びスピーカ部に対応する位置に、シリコーン樹脂が薄膜状に形成された薄膜部が設けられており、該薄膜部には、振動を抑制してハウリングを防止するための突起部が一体に形成されている。【選択図】図３
0003177945.tif 000002
【実用新案登録請求の範囲】
【請求項１】
少なくとも携帯電話機能を備えた携帯電子機器を収納する防水ケースであって、
該防水ケースは、前記携帯電子機器の背面と両側面と上面と下面とをカバーするシリコーン樹脂製の背面側ケース部材と、該背面側ケース部材に被せて前記携帯電子機器の正面をカバーする合成樹脂製の正面側ケース部材とから構成され、
前記背面側ケース部材の下部は、前記携帯電子機器の下面に有するマイク部及びスピーカ部に対応する位置に、前記シリコーン樹脂が薄膜状に形成された薄膜部が設けられており、
該薄膜部には、振動を抑制してハウリングを防止するための突起部が一体に形成されていること
を特徴とする防水ケース。
【請求項２】
前記正面側ケース部材の下部は、前記薄膜部に対応する位置に孔部が形成されていること
を特徴とする請求項１に記載の防水ケース。
【考案の詳細な説明】
【技術分野】
【０００１】
本考案は、例えばｉＰｈｏｎｅ（登録商標）のような液晶タッチパネルを有して携帯電話機能を備えた携帯電子機器を収納するための防水ケースの改良に関するものである。
【背景技術】
【０００２】
従来、携帯電子機器を収納する防水ケースとしては、例えば図７に示す構成のものが知られている。この防水ケース１は、下ケース２と上ケース３とを嵌合し、固定具４で固定して携帯電子機器５を収納する構造であって、下ケース２は、底部６と第一壁部７と第一緩衝部材８と防水部材９とを備え、上ケース３は、蓋部１０と第二壁部１１と第二緩衝部材１２とを備えている。また、上ケース３には、小窓１３が形成されている（特許文献１参照）。
【０００３】
このような構成の防水ケース１は、防水部材９を有することによって防水性を備え、また、第一緩衝部材８と第二緩衝部材１２とを有することによって耐衝撃性を備えるという特徴がある。
【先行技術文献】
【特許文献】
【０００４】
【特許文献１】特開２０１１−１７６１９９号公報
【考案の概要】
【考案が解決しようとする課題】
【０００５】
この従来例の防水ケース１においては、例えばｉＰｈｏｎｅ（登録商標）のような携帯電話機能を備える携帯電子機器を収納した場合には、当該防水ケース１は密閉性が高いことから、携帯電子機器のマイク（送話口）が使用者の音声を充分に拾うことができないという問題点を有している。
【０００６】
仮に、防水ケース１のマイク近傍部分の厚みを薄手に形成する等して、使用者の音声を拾えるように工夫したとしても、その音声が防水ケース１の内部に籠もってしまい、再度マイクが拾ってハウリング現象がおこるという問題点も有している。
【０００７】
従って、従来例における防水ケース１においては、携帯電子機器のマイク（送話口）が使用者の音声を拾うことができるようにすることと、その際のハウリング現象を防止することとに解決しなければならない課題を有している。
【課題を解決するための手段】
【０００８】
前記従来例の課題を解決するための本考案の要旨は、少なくとも携帯電話機能を備えた携帯電子機器を収納する防水ケースであって、該防水ケースは、前記携帯電子機器の背面と両側面と上面と下面とをカバーするシリコーン樹脂製の背面側ケース部材と、該背面側ケース部材に被せて前記携帯電子機器の正面をカバーする合成樹脂製の正面側ケース部材とから構成され、前記背面側ケース部材の下部は、前記携帯電子機器の下面に有するマイク部及びスピーカ部に対応する位置に、前記シリコーン樹脂が薄膜状に形成された薄膜部が設けられており、該薄膜部には、振動を抑制してハウリングを防止するための突起部が一体に形成されていることである。
【０００９】
また、前記正面側ケース部材の下部は、前記薄膜部に対応する位置に孔部が形成されていること、；
を含むものである。
【考案の効果】
【００１０】
本考案に係る防水ケースによれば、背面側ケース部材の下部に、シリコーン樹脂が薄膜状の薄膜部を設けたことによって、携帯電子機器のマイク（送話口）が使用者の音声を鮮明に拾うことができる。
また、薄膜部には振動を抑制してハウリングを防止するための突起部を一体に形成したことによって、音声による薄膜部の振動の余韻が抑制されるので、音声が防水ケースの内部に籠もり難くなり、その結果ハウリング現象が防止できるという種々の優れた効果を奏する。
【００１１】
また、正面側ケース部材の下部は、薄膜部に対応する位置に孔部が形成されていることによって、背面側ケース部材の薄膜部が、正面側ケース部材の下部に邪魔されることなく、外部に連通するので、携帯電子機器のマイク（送話口）が使用者の音声を充分に拾うことができるという優れた効果を奏する。
【図面の簡単な説明】
【００１２】
【図１】本考案に係る防水ケース２１の正面側の斜視図である。
【図２】本考案に係る防水ケース２１の背面側の斜視図である。
【図３】本考案に係る防水ケース２１を背面側ケース部材２３と携帯電子機器２２と正面側ケース部材２４とに分離して示した説明図である。
【図４】携帯電子機器２２の斜視図である。
【図５】（Ａ）本考案に係る防水ケース２１の底面図である。（Ｂ）防水ケース２１を背面側ケース部材２３と正面側ケース部材２４とに分離して示した底面図である。（Ｃ）薄膜部３５を拡大して示した正面図である。
【図６】図５（Ｃ）のＤ−Ｄ線断面図である。
【図７】従来例に係る防水ケース１の要部を拡大して示す縦断面図である。
【考案を実施するための形態】
【００１３】
次に、本考案の実施の形態について図面を参照しながら説明する。まず、図１から図３において、符号２１は防水ケースを示し、この防水ケース２１は、携帯電子機器２２の背面２２ａと両側面２２ｂと上面２２ｃと下面２２ｄとをカバーする背面側ケース部材２３と、この背面側ケース部材２３に被せて携帯電子機器２２の正面２２ｅをカバーする正面側ケース部材２４とから構成される。
【００１４】
防水ケース２１は、スマートフォン（高機能携帯電話）のように液晶タッチパネル２５を有して携帯電話機能を備えた携帯電子機器２２を水密に収納するためのケースであって、図３及び図４に示す携帯電子機器２２は、例えばｉＰｈｏｎｅ（登録商標）のような薄型の筺体形状に形成されている。
【００１５】
背面側ケース部材２３は、柔軟性を有するシリコーン樹脂で形成されており、携帯電子機器２２の背面２２ａに有するカメラレンズ２６と対応する位置に、透明な樹脂板２７が取り付けられている。従って、携帯電子機器２２を収納した状態で写真の撮影が可能である。
【００１６】
背面側ケース部材２３の上部４２は、携帯電子機器２２の上面２２ｃに有するスリーブスイッチ２８をＯＮ／ＯＦＦ操作するためのスリーブスイッチ用突部２９が形成されている。
【００１７】
背面側ケース部材２３の一方の側部３０は、携帯電子機器２２の側面２２ｂに有する音量調節ボタン３１を操作するための音量調節用突部３２が形成されている。
【００１８】
背面側ケース部材２３の下部３３は、図５（Ａ）（Ｂ）（Ｃ）に示すように、携帯電子機器２２の下面２２ｄに有するマイク部（送話口）３４ａ及びスピーカ部３４ｂ（図４参照）に対応する位置に、シリコーン樹脂が薄膜状に形成された薄膜部３５が設けられている。この薄膜部３５の存在によって、使用者の音声が振動して伝播するので、携帯電子機器２２のマイク３４ａが使用者の音声を鮮明に拾うことができる。
【００１９】
なお、薄膜部３５の寸法の一例としては、長手方向の寸法が約７．２ｍｍ程度、短手方向の寸法が約５．６ｍｍ程度、厚みが約０．４〜０．６ｍｍ程度が望ましい。
【００２０】
更に、薄膜部３５には、図５（Ｃ）及び図６に示すように、振動を抑制してハウリングを防止するための突起部３６が一体に形成されている。この突起部３６の存在によって、使用者の音声による薄膜部３５の振動の余韻が抑制されることとなり、音声が防水ケース２１の内部に籠もり難くなるので、その結果ハウリング現象が防止できる効果がある。
【００２１】
なお、突起部３６の寸法の一例としては、長手方向の寸法が約４ｍｍ程度、短手方向の寸法が約１．８ｍｍ程度、高さが約１〜１．２ｍｍ程度が望ましい。
【００２２】
正面側ケース部材２４は、剛性を備える合成樹脂で形成されており、携帯電子機器２２の正面２２ｅに有する液晶タッチパネル２５と対応する位置に、板状部材３７が設けられている。この板状部材３７は、液晶タッチパネル２５に表示された情報を透視可能な透明な合成樹脂材、例えばポリカーボネート系樹脂等で形成される。
【００２３】
板状部材３７の下部側には、携帯電子機器２２の正面２２ｅに有するホームボタン３８と対応する位置に、弾性を有するホームボタン用押圧部３９が形成されている。
【００２４】
正面側ケース部材２４の下部４０は、図５（Ａ）（Ｂ）に示すように、薄膜部３５に対応する位置に孔部４１が形成されている。従って、背面側ケース部材２３の薄膜部３５が、正面側ケース部材２４の下部４０に邪魔されることなく、外部に連通するので、携帯電子機器２２のマイク部（送話口）３４ａが使用者の音声を明瞭に拾うことができる。
【００２５】
以上のように構成される防水ケース２１は、背面側ケース部材２３の下部３３に、シリコーン樹脂が薄膜状に形成された薄膜部３５を設けたことによって、携帯電子機器２２のマイク（送話口）３４ａが使用者の音声を鮮明に拾うことができる。
【００２６】
更には、薄膜部３５には振動を抑制してハウリングを防止するための突起部３６を一体に形成したことによって、使用者の音声による薄膜部３５の振動の余韻が抑制されるので、音声が防水ケース２１の内部に籠もり難くなり、その結果ハウリング現象が防止できることとなる。
【符号の説明】
【００２７】
１    防水ケース
２    下ケース
３    上ケース
４    固定具
５    携帯電子機器
６    底部
７    第一壁部
８    第一緩衝部材
９    防水部材
１０  蓋部
１１  第二壁部
１２  第二緩衝部材
１３  小窓
２１  防水ケース
２２  携帯電子機器
２２ａ  背面
２２ｂ  側面
２２ｃ  上面
２２ｄ  下面
２２ｅ  正面
２３  背面側ケース部材
２４  正面側ケース部材
２５  液晶タッチパネル
２６  カメラレンズ
２７  樹脂板
２８  スリーブスイッチ
２９  スリーブスイッチ用突部
３０  側部
３１  音量調節ボタン
３２  音量調節用突部
３３  下部
３４ａ  マイク部（送話口）
３４ｂ  スピーカ部
３５  薄膜部
３６  突起部
３７  板状部材
３８  ホームボタン
３９  ホームボタン用押圧部
４０  下部
４１  孔部
４２  上部
【図１】
0003177945.tif 000003
【図２】
0003177945.tif 000004
【図３】
0003177945.tif 000005
【図４】
0003177945.tif 000006
【図５】
0003177945.tif 000007
【図６】
0003177945.tif 000008
【図７】
0003177945.tif 000009